(57)【要約】【目的】比較的良好な画像を携帯電話に表示する。【構成】画像サーバ２から携帯電話３に基準画像データを送信する。携帯電話３の表示装置に基準画像を表示する。表示された基準画像の波長−輝度特性を，放射輝度測定装置４において測定する。測定された波長−輝度特性にもとづいて，携帯電話３の補正パラメータを算出する。補正パラメータ算出処理を他の携帯電話についても行う。携帯電話から画像データの送信要求があると，その携帯電話に対応する補正パラメータを用いて画像データを補正する。補正された画像データが携帯電話に送信される。携帯電話に適した補正が行われているので，比較的良好な画像が表示される。【選択図】  図１
2004151167.tif 000002
【特許請求の範囲】
【請求項１】
画像表示装置ごとに，それぞれの画像表示装置の表示画面上に基準画像を表示し，
表示された基準画像にもとづいて，画像表示装置ごとに表示特性を測定し，
測定された表示特性にもとづいて，上記画像表示装置の表示画面上に表示される画像を補正する補正パラメータを画像表示装置ごとに算出し，
画像表示装置の表示画面上に表示すべき画像を表す画像データを，算出された補正パラメータのうち，対応する補正パラメータを用いて補正し，
補正された画像データを対応する画像表示装置に与える，
画像補正方法。
【請求項２】
画像表示装置が通信機能を有する電子装置であり，
上記電子装置からの画像データの送信要求に応じて，送信要求のあった電子装置の種類または表示装置の種類を見つけ，
上記補正処理が，算出された補正パラメータのうち，見つけられた種類に対応して補正パラメータを用いて上記電子装置の画像表示装置に表示すべき画像を表す画像データを補正するものである，
請求項１に記載の画像補正方法。
【請求項３】
画像表示装置ごとに，それぞれの画像表示装置の表示画面上に表示された基準画像にもとづいて画像表示装置ごとに表示特性を測定する測定装置，
上記測定装置により測定された表示特性にもとづいて，上記画像表示装置の表示画面上に表示される画像を補正する補正パラメータを画像表示装置ごとに算出する補正パラメータ算出装置，および
画像表示装置の表示画面上に表示すべき画像を表す画像データを，上記補正パラメータ算出装置によって算出された補正パラメータのうち，対応する補正パラメータを用いて補正する補正装置，
を備えた画像補正システム。
【請求項４】
画像表示装置が通信機能を有する電子装置であり，
上記電子装置からの画像データの送信要求に応じて，送信要求のあった電子装置の種類または表示装置の種類を見つける検索装置をさらに備え，
上記補正装置が，上記補正パラメータ算出装置によって算出された補正パラメータのうち，上記検索装置において見つけられた種類に対応した補正パラメータを用いて上記電子装置の画像表示装置に表示すべき画像を表す画像データを補正するものである，
請求項３に記載の画像補正システム。
【発明の詳細な説明】
【０００１】
【技術分野】
この発明は，画像補正方法およびそのシステムに関する。
【０００２】
【発明の背景】
表示装置は，入力値をＸ，出力値をＹとすると，Ｘ＝Ｙγをみたすように設計されている（γ＝２．２）。このために，表示装置に表示すべき画像を表す画像データは，表示特性が上式を満たすような表示装置に画像が表示されるときに良好な画質となるように調整されている。しかしながら，撮像装置によっては撮像によって得られる画像データが上式を満たさないことがある。このような場合には，画像の階調補正が行われることがある（例えば，特許文献１）。
【０００３】
【特許文献１】
特開平５−７６０３６号公報
【０００４】
携帯電話の普及につれて，携帯電話の表示画面上に画像が表示されるようになってきている。携帯電話の表示画面にはバックライトが照らされることなどから，上式を満たすことができないことがある。このために，よりよい画像補正が要求される。
【０００５】
【発明の開示】
この発明は，適正な画像補正を行うことを目的とする。
【０００６】
この発明による画像補正方法は，画像表示装置ごとに，それぞれの画像表示装置の表示画面上に基準画像を表示し，表示された基準画像にもとづいて，画像表示装置ごとに表示特性を測定し，測定された表示特性にもとづいて，上記画像表示装置の表示画面上に表示される画像を補正する補正パラメータを画像表示装置ごとに算出し，画像表示装置の表示画面上に表示すべき画像を表す画像データを，算出された補正パラメータのうち，対応する補正パラメータを用いて補正し，補正された画像データを対応する画像表示装置に与えるものである。
【０００７】
この発明は，上記画像補正方法に適したシステムも提供している。すなわち，この発明による画像補正システムは，画像表示装置ごとに，それぞれの画像表示装置の表示画面上に表示された基準画像にもとづいて画像表示装置ごとに表示特性を測定する測定装置，上記測定装置により測定された表示特性にもとづいて，上記画像表示装置の表示画面上に表示される画像を補正する補正パラメータを画像表示装置ごとに算出する補正パラメータ算出装置，および画像表示装置の表示画面上に表示すべき画像を表す画像データを，上記補正パラメータ算出装置によって算出された補正パラメータのうち，対応する補正パラメータを用いて補正する補正装置を備えていることを特徴とする。
【０００８】
この発明によると，画像表示装置ごとに，それぞれの画像表示装置の表示画面上に基準画像が表示される。表示された基準画像にもとづいて，画像表示装置ごとに表示特性が測定される。測定された表示特性にもとづいて画像表示装置ごとにパラメータが算出される。画像表示装置の表示画面上に表示すべき画像を表す画像データが，算出された補正パラメータのうち，対応する補正パラメータを用いて補正される。補正された画像データが，対応する画像表示装置に与えられる。
【０００９】
画像表示装置に与えられる画像データは，画像表示装置の表示特性に応じた補正が行われているものである。画像表示装置に応じた良好な画像が表示される。
【００１０】
画像表示装置は，たとえば，通信機能を有する電子装置（例えば，表示装置付き携帯電話）である。この場合には，上記電子装置からの画像データの送信要求に応じて，送信要求のあった電子装置の種類または表示装置の種類を見つけ，上記補正処理が，算出された補正パラメータのうち，見つけられた種類に対応して補正パラメータを用いて上記電子装置の画像表示装置に表示すべき画像を表す画像データを補正するものとなろう。
【００１１】
【実施例の説明】
この実施例は，表示装置が付いた携帯電話に画像を表示する場合に，携帯電話の種類に応じて画像を補正するものである。まず，携帯電話の種類ごとに補正パラメータが算出される。算出された補正パラメータのうち，画像を表示する携帯電話の表示装置に対応した補正パラメータが見つけられる。見つけられた補正パラメータを用いて画像データが補正される。補正された画像データが携帯電話に送信される。
【００１２】
図１は，補正パラメータを算出するシステムの概要を示している。
【００１３】
画像データベース１には，「赤色」，「青色」，「緑色」，「白色」，「黒色」および「灰色」一色の基準画像を表す画像データが格納されている。画像データベース１からこれらの基準画像を表す画像データが読み取られ，画像サーバ２に与えられる。
【００１４】
基準画像を表す画像データは，画像サーバ２から携帯電話３に送信される。基準画像を表す画像データが携帯電話３において受信されると，携帯電話３が放射輝度測定装置４にもって行かれる。
【００１５】
携帯電話３の表示装置の表示画面上に「赤色」，「青色」，「緑色」，「白色」，「黒色」および「灰色」一色の基準画像が順に表示される。それぞれの基準画像の輝度が放射輝度測定装置４において測定される。
【００１６】
図２は，「青色」の基準画像を携帯電話３に表示させた場合に得られる測定データの一例である。基準画像が「青色」であるので，比較的低い波長の輝度レベルが高く，その他の波長の輝度レベルは低くなっている。
【００１７】
携帯電話１に，すべての基準画像が順に表示され，基準画像のそれぞれについて放射輝度測定装置４において図２に示すような波長−輝度特性が測定される。基準画像ごとに測定されたデータは，補正パラメータ算出装置５に与えられる。
【００１８】
補正パラメータ算出装置５には，画像データベース１に格納されている「赤色」，「青色」，「緑色」，「白色」，「黒色」および「灰色」一色の基準画像の理想的な波長−輝度特性を表すデータがあらかじめ設定されている。補正パラメータ算出装置５において，放射輝度測定装置４から与えられた波長−輝度特性の測定データと理想的な波長−輝度特性データとの差分にもとづいて（基準画像を表示したときに，理想的な波長−輝度特性が得られるように）階調補正を行うためのＬＵＴ（ルックアップ・テーブル：２５６階調分の値をもつテーブル）と色補正を行うためのマトリクスとが補正パラメータとして算出される。
【００１９】
このような補正パラメータの算出処理が携帯電話ごとに行われる。
【００２０】
図３は，補正パラメータを示すテーブルである。
【００２１】
上述したように，補正パラメータには階調補正のパラメータと色補正とのパラメータとがある。これらの階調補正のパラメータと色補正のパラメータとが携帯電話の種類ごとに算出される。
【００２２】
たとえば，Ａ社製の携帯電話であって機種がａ１０１であれば（Ａ社ａ１０１），階調補正パラメータは「ＬＵＴ１」であり，色補正パラメータは「Ｍａｔｒｉｘ１」である。他の種類の携帯電話もその種類ごとに階調補正パラメータと色補正パラメータとが算出される。
【００２３】
補正すべき画像の輝度成分に，階調補正パラメータを乗じることにより，画像の階調補正が行われる。また，補正すべき画像の各画素のＲＧＢ成分に色補正パラメータをマトリクス演算することにより，色補正が行われる。
【００２４】
図４は，補正処理を行うシステムの概要を示している。
【００２５】
画像サーバ１３には，パラメータ・データベース１１および画像データベース１２画接続されている。パラメータ・データベース１１には，上述のようにして算出された補正パラメータが携帯電話の機種ごとに格納されている。また，画像データ１２には，多数の駒の画像を表す画像データが格納されている。
【００２６】
携帯電話１４から画像サーバ１３に画像データの送信要求が行われる。この送信要求に際して，携帯電話１４から画像サーバ１３に，携帯電話１４の機種を示すデータも送信される。
【００２７】
画像サーバ１３において，携帯電話１４からの送信要求に応じた画像データが画像データベース１２から見つけられる。また，携帯電話１４の機種に対応した補正パラメータがパラメータ・データベース１１から読み取られる。画像データベース１２から見つけられた画像データが，パラメータ・データベース１１から読み取られた補正パラメータを用いて補正される。具体的な補正処理は次の通りである。
【００２８】
まず，画像データベース１２から読み取られた画像データから輝度データと色差データとが生成される。生成された輝度データと色差データとのうち，輝度データに階調補正パラメータが乗じられる（階調補正）。もちろん，他の補正方法によって補正するようにしてもよいのはいうまでもない。さらに，階調補正された輝度データと生成された色差データとからＲＧＢ画像データが生成される。生成されたＲＧＢ画像データについて対応する色補正パラメータを用いてマトリクス演算が行われる（色補正）。このようにして補正された画像データが画像サーバ１３から携帯電話１４に送信される。
【００２９】
図５は，補正パラメータ算出処理を示すフローチャートである。
【００３０】
上述したように（図１），画像データベース１に格納されている基準画像を表す画像データが読み取られる（ステップ２１）。読み取られた基準画像を表す画像データが画像サーバ２から携帯電話３に送信される（ステップ２２）。画像データベース１に格納されているすべての基準画像を表す画像データが画像サーバ２から携帯電話３に送信されるまで，基準画像データの読み取りおよび携帯電話３への送信処理が繰り返される（ステップ２３）。
【００３１】
画像サーバ２から携帯電話３に基準画像データが送信されると，携帯電話３の表示画面上には基準画像が表示される（ステップ３１）。基準画像が表示された携帯電話３が放射輝度測定装置４にもって行かれ，表示されている基準画像の波長−輝度特性が測定される（ステップ４１）。すべての基準画像の波長−輝度特性が測定されるまで，携帯電話３の表示画面への基準画像の表示（ステップ３２）および測定が繰り返される（ステップ４２）。
【００３２】
放射輝度測定装置４においてすべての基準画像の波長−輝度特性が測定されると，その測定された波長−輝度特性を表すデータがすべて補正パラメータ算出装置５に入力する（ステップ５１）。入力したデータにもとづいて，補正パラメータ算出装置５において階調補正パラメータおよび色補正パラメータが算出される（ステップ５２）。
【００３３】
図６は，算出された補正パラメータを用いた補正処理を示すフローチャートである。
【００３４】
上述したように（図４），携帯電話１４と画像サーバ１３とが接続される。携帯電話１４から画像サーバ１３に，携帯電話１４の機種名を示すデータおよび画像データの送信要求が行われる（ステップ６１）。
【００３５】
携帯電話１４の機種名を示すデータおよび画像データの送信要求が，画像サーバ１３において受信されると，送信要求のあった画像データが画像データベース１２から読み取られる（ステップ７１）。また，携帯電話１４の機種に対応した補正パラメータがパラメータ・データベース１１から読み取られる（ステップ７２）。読み取られた補正パラメータ（階調補正パラメータおよび色補正パラメータ）を用いて，画像データが補正される（ステップ７３）。補正された画像データが画像サーバ１３から携帯電話１４に送信される（ステップ７４）。
【００３６】
画像サーバ１３から送信された画像データが携帯電話１４において受信されると，携帯電話１４の表示装置の表示画面上に，受信された画像データによって表される画像が表示される（ステップ６２）。表示された画像は，携帯電話１４の表示装置に対応して補正されているものであるから，適正な明るさおよび色をもつものとなっている。比較的良好な画像が表示される。
【００３７】
上述した実施例においては，階調補正と色補正との両方の補正を行っているが，必ずしも両方の補正を行う必要は無く，片方の補正を行うようにしてもよい。
【図面の簡単な説明】
【図１】補正パラメータを算出するシステムを示している。
【図２】波長−輝度特性の一例である。
【図３】補正パラメータの一例を示すテーブルである。
【図４】画像を補正するシステムを示している。
【図５】補正パラメータを算出する処理手順を示すフローチャートである。
【図６】画像補正処理を示すフローチャートである。
【符号の説明】
１  画像データベース（基準画像が格納されている画像データベース）
２，１３  画像サーバ
３，１４  携帯電話
４  放射輝度測定装置
５  補正パラメータ算出装置
１１  パラメータ・データベース
１２  画像データベース（多数駒の画像を表す画像データが格納されている画像データベース）
【図１】
2004151167.tif 000003
【図２】
2004151167.tif 000004
【図３】
2004151167.tif 000005
【図４】
2004151167.tif 000006
【図５】
2004151167.tif 000007
【図６】
2004151167.tif 000008